(57)【要約】【課題】  多層式ラックの多層式層板の固定方法における安定性を向上させ、消費者から多大な支持を受けることができる万能ラックを提供することを目的とする。【解決手段】  本考案は万能ラックの構造を提供するもので、支架ロッドから形成される主架体を有し、主架体の相対する２つの側のそれぞれに固定板を相対連結させ、固定板の両側端が支架ロッド上にネジ結合され、上端が水平方向に伸びる層板を支える支板を有し、支板の下端に折面板を有し、折面板は折面板上部と連接板と折面板底部とを有し、折面板上部と上記折面板底部は、支板に対して平行に設置され、連接板は支板に対して直角に設置され、折面板上部は支板の下端面中段に支板と平行に固定設置され、折面板上部の後端と連接板の上端が直角に結合され、連接板の下端と、面板底部の前端とが直角に結合され、階段状の折面板が支板下端に設置される構成とされる。【選択図】  図１
0003101745.tif 000002
【実用新案登録請求の範囲】
【請求項１】
支架ロッドから形成される主架体を有し、
上記主架体の相対する２つの側のそれぞれに固定板を相対連結させ、上記固定板の両側端が上記支架ロッド上にネジ結合され、上端が水平方向に伸びる層板を支える支板を有し、
上記支板の下端に折面板を有し、
上記折面板は、折面板上部と連接板と折面板底部とを有し、
上記折面板上部と上記折面板底部は、上記支板に対して平行に設置され、
上記連接板は、上記支板に対して直角に設置され、
上記折面板上部は、上記支板の下端面中段に上記支板と平行に固定設置され、上記折面板上部の後端と上記連接板の上端が直角に結合され、
上記連接板の下端と、上記折面板底部の前端とが直角に結合され、
階段状の上記折面板が、上記支板下端に設置されることにより、上記支板の末端下方に嵌合溝を形成し、
上記折面板の上記折面板底部末端が、上記支板末端より水平方向に突出する構造により、上記嵌合溝に相対する上記層板の両側端を嵌入保持させることを特徴とする万能ラック。
【考案の詳細な説明】
【技術分野】
【０００１】
本考案は万能ラックに係るものであり、特に、一種の層板の両側端を嵌入保持させる構造の万能ラックに係るものである。
【背景技術】
【０００２】
従来の多層式ラックの構造は、層板を使用してラックを多層に分隔することにより、物品を類別し、各層に異なる物品を置くことができる。このように、多層空間を有効利用できる。従来の層板の構造においては、大部分が主架体に設置される支板上に直接形成されているが、このような層板を支板上に形成される従来の構造は、安定性に欠け、不便であり、消費者からの支持を受けているとは言えない。従って、従来の多層式ラックにおいて、このような問題点を改良した構造の一種の万能ラックを開発するかが、関係業界では目標となっている。
【考案の開示】
【考案が解決しようとする課題】
【０００３】
従来の多層式ラックは以下の問題点があった。
（１）層板を支板上にネジ固定した状態、或は固定せずに載せた状態で多層ラックを使用するが、完全に固定設置されておらず、外力により層板は曲がったり移動したりし易く、安定性に欠ける。
（２）従来の層板の固定方法は新しい形態の固定方法が開発されておらず、組み付けが不便であり、消費者からの支持を受けているとは言えない。
【０００４】
従って、本考案は、多層式ラックの多層式層板の固定方法における安定性を向上させ、消費者から多大な支持を受けることができる万能ラックを提供することを目的とする。
【課題を解決するための手段】
【０００５】
前記の目的を図るために、請求項１に記載されるように、本考案は、支架ロッドから形成される主架体を有し、上記主架体の相対する２つの側のそれぞれに固定板を相対連結させ、上記固定板の両側端が上記支架ロッド上にネジ結合され、上端が水平方向に伸びる層板を支える支板を有し、上記支板の下端に折面板を有し、上記折面板は、折面板上部と連接板と折面板底部とを有し、上記折面板上部と上記折面板底部は、上記支板に対して平行に設置され、上記連接板は、上記支板に対して直角に設置され、上記折面板上部は、上記支板の下端面中段に上記支板と平行に固定設置され、上記折面板上部の後端と上記連接板の上端が直角に結合され、上記連接板の下端と、上記折面板底部の前端とが直角に結合され、階段状の上記折面板が、上記支板下端に設置されることにより、上記支板の末端下方に嵌合溝を形成し、上記折面板の上記折面板底部末端が、上記支板末端より水平方向に突出する構造により、上記嵌合溝に相対する上記層板の両側端を嵌入保持させることにより、多層式ラックの多層式層板の固定方法における安定性を向上させ、消費者から多大な支持を受けることができる。
【考案の効果】
【０００６】
本考案の万能ラックにおいて、多層式ラックの多層式層板の固定方法における安定性を向上させ、消費者から多大な支持を受けることができる。
【０００７】
また、本考案の万能ラックにおいて、折面板により層板を嵌入保持させる方式により新しい万能ラックの構造形態を提供することができる。
【０００８】
また、本考案の万能ラックにおいて、折面板の設置により嵌合溝を形成し、嵌合溝に相対する層板の両側端を嵌入保持させることにより、層板は曲がったり移動したりすることがなく安定し、且つ、外観もよくなる。
【０００９】
また、本考案の万能ラックにおいて、嵌合溝の底部が上部より水平方向に突出する形状により、層板を嵌入設置させる時、層板の一側端を嵌合溝の相対する側に嵌入させた後、層板のもう一側端をもう一方の相対する嵌合溝に嵌入させるだけでよく、設置方法が簡単になる。
【考案を実施するための最良の形態】
【００１０】
以下に添付図面を参照して本考案のある好適な実施の形態を詳細に説明するが、それらの構成は本考案の構造の絶対的な制限にならない。図１は、本考案の一実施例に係る万能ラックを示す斜視図である。図２は、本考案の万能ラックの折面板の周辺を示す拡大図である。図３は、本考案の万能ラックに層板を装着した状態を示す斜視図である。図４は、本考案の万能ラックを示す側視図である。
【００１１】
図１に示すように、本考案の万能ラックの構造は、主に、４組の支架ロッド１１から形成される主架体を有し、主架体の相対する２つの側のそれぞれに固定板２１を相対連結させている。固定板２１の両側端は、支架ロッド１１上にネジ結合されている。また、固定板２１の上端は、水平方向に伸びる層板４０を支える為の支板２２を有する。
【００１２】
図２に示すように、支板２２下端に折面板３０を有し、折面板３０は折面板上部３２と連接板３４と折面板底部３３とで構成される。折面板上部３２と折面板底部３３は、支板２２に対して、平行に設置され、連接板３４は支板２２に対して、直角に設置される。また、折面板上部３２は支板２２の下端面中段に支板２２と平行に固定設置され、折面板上部３２の後端と連接板３４の上端が直角に結合される。
【００１３】
連接板３４の下端と折面板底部３３の前端が直角に結合され、階段状の折面板３０が支板２２下端に設置されることにより、支板２２末端下方に嵌合溝３１を形成する。折面板３０の折面板底部３３末端が、支板２２末端より水平方向に突出することにより、嵌合溝３１に相対する層板４０の両側端を嵌入保持させることができる（図３、４に示す）。
【００１４】
折面板３０の設置により、嵌合溝３１を形成し、嵌合溝３１に相対する層板４０の両側端を嵌入保持させることにより、層板４０は曲がったり移動したりすることがなく安定し、且つ、外観もよくなる。
【００１５】
図５は、本考案の層板を万能ラックに装着する動作を示す側視図である。図５に示すように、嵌合溝３１の底部が上部より突出する形状により、層板４０を嵌入設置させる時、層板４０の一側端を嵌合溝３１の相対する側に嵌入させた後、層板４０のもう一側端を、もう一方の相対する嵌合溝３１に嵌入させるだけでよく、設置方法が簡単になる。
【００１６】
図６は、本考案の万能ラックに装着される多種類の層板を示す斜視図である。図６に示すように、嵌合溝３１に層板４０を嵌入設置させる構造により、素早く、且つ、簡単に装着できる。また、異なる種類の層板４０を使用することにより（例：ガラス、網、孔板）異なる視覚効果を発揮することができる。
【００１７】
従って、本考案の万能ラックにおいて、多層式ラックの多層式層板の固定方法における安定性を向上させ、消費者から多大な支持を受けることができる。
【００１８】
また、本考案の万能ラックにおいて、折面板により層板を嵌入保持させる方式により新しい万能ラックの構造形態を提供することができる。
【００１９】
また、本考案の万能ラックにおいて、折面板の設置により嵌合溝を形成し、嵌合溝に相対する層板の両側端を嵌入保持させることにより、層板は曲がったり移動したりすることがなく安定し、且つ、外観もよくなる。
【００２０】
また、本考案の万能ラックにおいて、嵌合溝の底部が上部より水平方向に突出する形状により、層板を嵌入設置させる時、層板の一側端を嵌合溝の相対する側に嵌入させた後、層板のもう一側端をもう一方の相対する嵌合溝に嵌入させるだけでよく、設置方法が簡単になる。
【００２１】
尚、本考案の万能ラックは上記の構成や形状に限定されることなく、本考案の万能ラックを変形及び改良した構成においても適応可能である。
【図面の簡単な説明】
【００２２】
【図１】本考案の一実施例に係る万能ラックを示す斜視図である。
【図２】本考案の万能ラックの折面板の周辺を示す拡大図である。
【図３】本考案の万能ラックに層板を装着した状態を示す斜視図である。
【図４】本考案の万能ラックを示す側視図である。
【図５】本考案の層板を万能ラックに装着する動作を示す側視図である。
【図６】本考案の万能ラックに装着される多種類の層板を示す斜視図である。
【符号の説明】
【００２３】
１１          支架ロッド
２１          固定板
２２          支板
３０          折面板
３１          嵌合溝
３２          折面板上部
３３          折面板底部
３４          連接板
４０          層板
【図１】
0003101745.tif 000003
【図２】
0003101745.tif 000004
【図３】
0003101745.tif 000005
【図４】
0003101745.tif 000006
【図５】
0003101745.tif 000007
【図６】
0003101745.tif 000008